(57)【特許請求の範囲】
【請求項１】
棒金を立位状態で１カ所に５本収納可能であって下方に凹む上方開口形状の棒金収納凹部を壁部と底部とで形成し、
前記棒金収納凹部は、
棒金を２本並べて収納する２本収納領域と、
前記２本収納領域と平行であって棒金を１列に並べて３本収納するとともに棒金配列方向の中央位置を前記２本収納領域と合わせた３本収納領域とを有し、
前記壁部は、
前記３本収納領域の前記２本収納領域とは反対側に配置される長壁部と、
前記２本収納領域の前記３本収納領域とは反対側に配置される短壁部と、
前記２本収納領域および前記３本収納領域の各棒金配列方向の両外側に配置される一対の側壁部と、を有し、
前記一対の側壁部には、前記２本収納領域と前記３本収納領域との間位置に、一対の規制部が設けられ、
前記一対の規制部の間隔が、棒金の直径の２倍よりも短く、
前記長壁部と前記短壁部との間隔が、棒金の直径の２倍よりも短いことを特徴とする現金管理装置。
【請求項２】
棒金を立位状態で１カ所に５本収納可能であって下方に凹む上方開口形状の棒金収納凹部を壁部と底部とで形成し、
前記棒金収納凹部は、
棒金を２本並べて収納する２本収納領域と、
前記２本収納領域と平行であって棒金を１列に並べて３本収納するとともに棒金配列方向の中央位置を前記２本収納領域と合わせた３本収納領域とを有し、
前記壁部は、
前記３本収納領域の前記２本収納領域とは反対側に配置される長壁部と、
前記２本収納領域の前記３本収納領域とは反対側に配置される短壁部と、
前記２本収納領域および前記３本収納領域の各棒金配列方向の両外側に配置される一対の側壁部と、を有し、
前記一対の側壁部には、前記２本収納領域と前記３本収納領域との間位置に、一対の規制部が設けられ、
前記一対の規制部は、前記２本収納領域に収納されている２本の棒金の前記３本収納領域側への移動を前記短壁部とで規制する一方、前記３本収納領域内での棒金の移動を前記長壁部とで許容し、
前記長壁部は、前記３本収納領域の中央の１本収納領域に収納されている１本の棒金の前記３本収納領域の両端の１本収納領域への移動を前記２本収納領域に収納されている２本の棒金とで規制することを特徴とする現金管理装置。
【請求項３】
装置本体と、
前記棒金収納凹部を有して前記装置本体に引き出し可能に設けられる収納庫と、を備え、
前記棒金収納凹部は、前記２本収納領域および前記３本収納領域のそれぞれの棒金配列方向を前記引き出しの方向に直交させていることを特徴とする請求項１または２記載の現金管理装置。
【請求項４】
装置本体と、
前記棒金収納凹部を有して前記装置本体に引き出し可能に設けられる収納庫と、を備え、
前記棒金収納凹部は、前記引き出しの方向の奥側に前記２本収納領域が、手前側に前記３本収納領域が配置されていることを特徴とする請求項１乃至３のいずれか一項記載の現金管理装置。
【請求項５】
前記棒金収納凹部の底部には、棒金の下端部に係合する係合部が、前記２本収納領域に２カ所、前記３本収納領域に３カ所、それぞれ設けられていることを特徴とする請求項１乃至４のいずれか一項記載の現金管理装置。
【請求項６】
前記係合部には、係合する棒金を検出する棒金検出センサが設けられていることを特徴とする請求項５記載の現金管理装置。
【請求項７】
前記一対の側壁部は、前記２本収納領域の棒金配列方向の両外側に該２本収納領域に臨んで設けられて該２本収納領域内に中心を配して湾曲する一対の湾曲壁面と、前記３本収納領域の棒金配列方向の両外側に該３本収納領域に臨んで設けられて該３本収納領域内に中心を配して湾曲する一対の湾曲壁面とを有し、
前記長壁部は、前記３本収納領域に臨んで設けられる平坦壁面を有し、
前記短壁部は、前記２本収納領域に臨んで設けられる平坦壁面を有することを特徴とする請求項１乃至６のいずれか一項記載の現金管理装置。
【請求項８】
棒金に対応するダミー棒金を有することを特徴とする請求項１乃至７のいずれか一項記載の現金管理装置。
【請求項９】
請求項８記載の現金管理装置を用いた棒金収納方法であって、
棒金を前記棒金収納凹部に１本のみ収納する際には、１本の棒金と、該棒金に対応するダミー棒金とを前記２本収納領域に収納することを特徴とする棒金収納方法。
【発明の詳細な説明】
【技術分野】
【０００１】
本発明は、現金の管理に用いられる現金管理装置およびそれを用いた棒金収納方法に関する。
【背景技術】
【０００２】
現金管理装置本体から引き出し可能に設けられた複数の収納庫に現金を収納し、現金の入出庫を行う現金管理装置がある（例えば特許文献１参照）。この現金管理装置には、複数の収納庫の中に棒金用の収納庫が設けられている。棒金用の収納庫では、満杯で棒金を１０本収納できる棒金トレイと、満杯にできない１０本未満の端数の棒金を収納できる棒金トレイとが金種別に用意されている。端数収納用の棒金トレイは、棒金の転倒防止用の補助棒を有しており、この点で、満杯収納用の棒金トレイとは異なっている。
【先行技術文献】
【特許文献】
【０００３】
【特許文献１】特開２０１３−１１８０１６号公報
【発明の概要】
【発明が解決しようとする課題】
【０００４】
上記の現金管理装置にあっては、棒金用の収納庫に複数の金種別の棒金トレイが装備されることになるが、金種別に満杯収納用と端数収納用の２種類の棒金トレイが使用されているため、コスト面で改善の余地があった。
【０００５】
本発明は、上記の点に鑑みなされたもので、コストを低減することができる現金管理装置およびそれを用いた棒金収納方法の提供を目的とする。
【課題を解決するための手段】
【０００６】
上記目的を達成するために、請求項１に係る発明は、棒金を立位状態で１カ所に５本収納可能であって下方に凹む上方開口形状の棒金収納凹部を壁部と底部とで形成し、前記棒金収納凹部は、棒金を２本並べて収納する２本収納領域と、前記２本収納領域と平行であって棒金を１列に並べて３本収納するとともに棒金配列方向の中央位置を前記２本収納領域と合わせた３本収納領域とを有し、前記壁部は、前記３本収納領域の前記２本収納領域とは反対側に配置される長壁部と、前記２本収納領域の前記３本収納領域とは反対側に配置される短壁部と、前記２本収納領域および前記３本収納領域の各棒金配列方向の両外側に配置される一対の側壁部と、を有し、前記一対の側壁部には、前記２本収納領域と前記３本収納領域との間位置に、一対の規制部が設けられ、前記一対の規制部の間隔が、棒金の直径の２倍よりも短く、前記長壁部と前記短壁部との間隔が、棒金の直径の２倍よりも短いことを特徴とする。
【０００７】
請求項２に係る発明は、棒金を立位状態で１カ所に５本収納可能であって下方に凹む上方開口形状の棒金収納凹部を壁部と底部とで形成し、前記棒金収納凹部は、棒金を２本並べて収納する２本収納領域と、前記２本収納領域と平行であって棒金を１列に並べて３本収納するとともに棒金配列方向の中央位置を前記２本収納領域と合わせた３本収納領域とを有し、前記壁部は、前記３本収納領域の前記２本収納領域とは反対側に配置される長壁部と、前記２本収納領域の前記３本収納領域とは反対側に配置される短壁部と、前記２本収納領域および前記３本収納領域の各棒金配列方向の両外側に配置される一対の側壁部と、を有し、前記一対の側壁部には、前記２本収納領域と前記３本収納領域との間位置に、一対の規制部が設けられ、前記一対の規制部は、前記２本収納領域に収納されている２本の棒金の前記３本収納領域側への移動を前記短壁部とで規制する一方、前記３本収納領域内での棒金の移動を前記長壁部とで許容し、前記長壁部は、前記３本収納領域の中央の１本収納領域に収納されている１本の棒金の前記３本収納領域の両端の１本収納領域への移動を前記２本収納領域に収納されている２本の棒金とで規制することを特徴とする。
【０００８】
請求項３に係る発明は、請求項１または２に係る発明において、装置本体と、前記棒金収納凹部を有して前記装置本体に引き出し可能に設けられる収納庫と、を備え、前記棒金収納凹部は、前記２本収納領域および前記３本収納領域のそれぞれの棒金配列方向を前記引き出しの方向に直交させていることを特徴とする。
【０００９】
請求項４に係る発明は、請求項１乃至３のいずれか一項に係る発明において、装置本体と、前記棒金収納凹部を有して前記装置本体に引き出し可能に設けられる収納庫と、を備え、前記棒金収納凹部は、前記引き出しの方向の奥側に前記２本収納領域が、手前側に前記３本収納領域が配置されていることを特徴とする。
【００１０】
請求項５に係る発明は、請求項１乃至４のいずれか一項に係る発明において、前記棒金収納凹部の底部には、棒金の下端部に係合する係合部が、前記２本収納領域に２カ所、前記３本収納領域に３カ所、それぞれ設けられていることを特徴とする。
【００１１】
請求項６に係る発明は、請求項５に係る発明において、前記係合部には、係合する棒金を検出する棒金検出センサが設けられていることを特徴とする。
【００１２】
請求項７に係る発明は、請求項１乃至６のいずれか一項に係る発明において、前記一対の側壁部は、前記２本収納領域の棒金配列方向の両外側に該２本収納領域に臨んで設けられて該２本収納領域内に中心を配して湾曲する一対の湾曲壁面と、前記３本収納領域の棒金配列方向の両外側に該３本収納領域に臨んで設けられて該３本収納領域内に中心を配して湾曲する一対の湾曲壁面とを有し、前記長壁部は、前記３本収納領域に臨んで設けられる平坦壁面を有し、前記短壁部は、前記２本収納領域に臨んで設けられる平坦壁面を有することを特徴とする。
【００１３】
請求項８に係る発明は、請求項１乃至７のいずれか一項に係る発明において、棒金に対応するダミー棒金を有することを特徴とする。
【００１４】
請求項９に係る発明は、棒金を前記棒金収納凹部に１本のみ収納する際には、１本の棒金と、該棒金に対応するダミー棒金とを前記２本収納領域に収納することを特徴とする。
【発明の効果】
【００１５】
請求項１に係る発明によれば、２本収納領域および３本収納領域の各棒金配列方向の両外側に配置される一対の側壁部が、３本収納領域と２本収納領域との間位置に、互いの間隔が棒金の直径の２倍よりも短い一対の規制部を有しているため、２本収納領域に２本の棒金を収納する状態とすれば、３本収納領域に棒金がなくても、２本収納領域の２本の棒金は倒れが規制されて立位状態に維持される。よって、１カ所の棒金収納凹部にて２本のみの棒金を立位状態に維持できる。
【００１６】
また、３本収納領域の２本収納領域とは反対側に配置される長壁部と、２本収納領域の３本収納領域とは反対側に配置される短壁部との間隔が、棒金の直径の２倍よりも短いため、２本収納領域に２本の棒金を収納する状態とすれば、１本または２本の棒金を３本収納領域のいずれの１本収納領域に収納しても、１本または２本の棒金は、３本収納領域の残りの１本収納領域に棒金がなくても、２本収納領域の２本の棒金と長壁部とで倒れが規制されて立位状態に維持される。よって、１カ所の棒金収納凹部にて３本のみの棒金を立位状態に維持できることになり、４本のみの棒金も立位状態に維持できることになる。
【００１７】
また、上記の寸法関係により、３本収納領域に３本の棒金を収納し、２本収納領域のいずれかの１本収納領域に１本の棒金を収納すると、２本収納領域の残りの１本収納領域に棒金がなくても、これらの棒金は、一対の規制部、長壁部および短壁部で倒れが規制されて立位状態に維持される。よって、１カ所の棒金収納凹部にて４本のみの棒金を立位状態に維持できることになる。
【００１８】
したがって、１カ所に棒金を立位状態で５本収納可能な棒金収納凹部に、２本のみの棒金を立位状態で収納でき、３本のみの棒金を立位状態で収納でき、４本のみの棒金を立位状態で収納できる。これにより、１本のみの棒金については別管理としたり、１本のみの棒金を収納する場合にはダミー棒金と一緒に収納したりすれば、同じ棒金収納凹部を満杯収納用と端数収納用とで共用化しても、満杯の棒金および端数の棒金のいずれも立位状態で収納することが可能になる。したがって、同じ棒金収納凹部を満杯収納用と端数収納用とで共用化できるため、コストを低減することができる。また、同じ棒金収納凹部を満杯収納用と端数収納用とで共用化した場合には、複数の棒金収納凹部の中から任意で満杯収納用と端数収納用とを設定することができる。したがって、使い勝手性が向上する。加えて、棒金収納凹部が５本単位で棒金を収納するため、取り出し時や挿入時の本数管理が容易となり、使い勝手性が向上する。
【００１９】
請求項２に係る発明によれば、２本収納領域に２本の棒金を収納する状態とすれば、３本収納領域に棒金がなくても、一対の規制部が、これら棒金の３本収納領域への移動つまり倒れを短壁部とで規制する。よって、棒金収納凹部にて２本のみの棒金を立位状態に維持できる。
【００２０】
また、一対の規制部は、３本収納領域内での棒金の移動を長壁部とで許容することになるが、２本収納領域に２本の棒金を収納すると、長壁部が、３本収納領域の中央の１本収納領域に収納されている１本の棒金の３本収納領域の両端の１本収納領域への移動つまり倒れを２本収納領域の２本の棒金とで規制する。言い換えれば、２本収納領域に２本の棒金を収納すると、長壁部が、３本収納領域のいずれか端側の１本収納領域に収納されている１本の棒金の３本収納領域の中央の１本収納領域への移動つまり倒れを、２本収納領域の２本の棒金とで規制する。よって、棒金収納凹部にて３本のみの棒金を立位状態に維持できる。
【００２１】
加えて、このように、２本収納領域に２本の棒金を収納する状態とすれば３本収納領域のいずれの１本収納領域に棒金を収納してもこれを立位状態に維持できることから、３本収納領域のいずれの２カ所の１本収納領域に棒金を収納しても、これら棒金の倒れを、残りの１本収納領域に棒金がなくても規制できる。よって、１カ所の棒金収納凹部にて４本のみの棒金を立位状態に維持できることになる。
【００２２】
したがって、１カ所に棒金を立位状態で５本収納可能な棒金収納凹部に、２本のみの棒金を立位状態で収納でき、３本のみの棒金を立位状態で収納でき、４本のみの棒金を立位状態で収納できる。これにより、１本のみの棒金については別管理としたり、１本のみの棒金を収納する場合にはダミー棒金と一緒に収納したりすれば、同じ棒金収納凹部を満杯収納用と端数収納用とで共用化しても、満杯の棒金および端数の棒金のいずれも立位状態で収納することが可能になる。したがって、同じ棒金収納凹部を満杯収納用と端数収納用とで共用化できるため、コストを低減することができる。また、同じ棒金収納凹部を満杯収納用と端数収納用とで共用化した場合には、複数の棒金収納凹部の中から任意で満杯収納用と端数収納用とを設定することができる。したがって、使い勝手性が向上する。加えて、棒金収納凹部が５本単位で棒金を収納するため、取り出し時や挿入時の本数管理が容易となり、使い勝手性が向上する。
【００２３】
請求項３に係る発明によれば、棒金収納凹部は、２本収納領域および３本収納領域の棒金配列方向を、収納庫の引き出しの方向に対し直交させている。このため、不慣れな係員でも、５本の棒金を両手で纏めて掴んで棒金収納凹部に挿入する際に戸惑うことなく円滑に挿入可能となる。
【００２４】
請求項４に係る発明によれば、棒金収納凹部は、収納庫の引き出しの方向の奥側に２本収納領域が、手前側に３本収納領域が配置されているため、５本の棒金からなる棒金群を、両手で棒金収納凹部に合わせた形状にしつつ掴む際に掴み易く、よって、５本の棒金を両手で掴んで棒金収納凹部に対し出し入れする作業がさらに容易化可能となる。
【００２５】
請求項５に係る発明によれば、棒金収納凹部の底部に、棒金の下端部に係合する係合部が、２本収納領域に２カ所、３本収納領域に３カ所、それぞれ設けられているため、棒金の下端部を係合部に係合させることで、収納庫の引き出し時および押し込み時に、収納状態にある棒金のガタツキを抑制することができる。
【００２６】
請求項６に係る発明によれば、係合部に係合された棒金を棒金検出センサで検出することができる。よって、棒金の収納数を計数することができる。
【００２７】
請求項７に係る発明によれば、棒金収納凹部が、２本収納領域および３本収納領域のそれぞれの棒金配列方向の両外側に湾曲壁面を有する形状をなしているため、これら湾曲壁面で四隅の棒金を案内することができる。よって、５本の棒金を纏めて正確に棒金収納凹部に挿入することが可能となる。
【００２８】
請求項８に係る発明によれば、棒金を棒金収納凹部に１本のみ収納する際には、１本の棒金と、棒金に対応するダミー棒金とを２本収納領域に収納すれば、これらを立位状態に維持できる。したがって、１カ所に棒金を立位状態で５本収納可能な棒金収納凹部に、１本のみの棒金を立位状態で収納できる。
【００２９】
請求項９に係る発明によれば、棒金を棒金収納凹部に１本のみ収納する際には、１本の棒金と、棒金に対応するダミー棒金とを２本収納領域に収納すれば、これらを立位状態に維持できる。したがって、１カ所に棒金を立位状態で５本収納可能な棒金収納凹部に、１本のみの棒金を立位状態で収納できる。２本のみの棒金、３本のみの棒金および４本のみの棒金については、上記のようにして、棒金収納凹部に立位状態で収納できる。これにより、同じ棒金収納凹部を満杯収納用と端数収納用とで共用化しても、満杯の棒金および端数の棒金のいずれも立位状態で収納することが可能になる。したがって、同じ棒金収納凹部を満杯収納用と端数収納用とで共用化できるため、コストを低減することができる。また、同じ棒金収納凹部を満杯収納用と端数収納用とで共用化した場合には、複数の棒金収納凹部の中から任意で満杯収納用と端数収納用とを設定することができる。したがって、使い勝手性が向上する。加えて、棒金収納凹部が５本単位で棒金を収納するため、取り出し時や挿入時の本数管理が容易となり、使い勝手性が向上する。
【図面の簡単な説明】
【００３０】
【図１】本発明に係る一実施形態の現金管理装置を示す斜視図である。
【図２】本発明に係る一実施形態の現金管理装置を示す要部の制御系ブロック図である。
【図３】本発明に係る一実施形態の現金管理装置の棒金収納庫を示す斜視図である。
【図４】本発明に係る一実施形態の現金管理装置の棒金トレイを示す斜視図である。
【図５】本発明に係る一実施形態の現金管理装置の棒金トレイを示す平面図である。
【図６】本発明に係る一実施形態の現金管理装置の棒金収納凹部への１本のみの棒金の収納状態を示す平面図である。
【図７】本発明に係る一実施形態の現金管理装置の棒金収納凹部への２本のみの棒金の収納状態を示す平面図である。
【図８】本発明に係る一実施形態の現金管理装置の棒金収納凹部への３本のみの棒金の収納状態を示す平面図である。
【図９】本発明に係る一実施形態の現金管理装置の棒金収納凹部への４本のみの棒金の収納状態を示す平面図である。
【発明を実施するための形態】
【００３１】
本発明に係る一実施形態を図面を参照して以下に説明する。
【００３２】
図１に示す本実施形態に係る現金管理装置１０は、金融機関の店舗の係員側スペースに設置されて係員により取り扱われるものであり、より窓口カウンタに近い位置で使用され、主に小束紙幣および棒金を入出庫可能に収納するものである。
【００３３】
現金管理装置１０は、箱型の装置本体１１と、この装置本体１１に上下方向に複数段具体的には８段設けられた収納庫１２とを有している。これら収納庫１２は、その左右側壁に設けられたスライドレール１３を介して装置本体１１に対して水平方向に沿って引き出し可能となっている。これら収納庫１２は、前方に引き出されることで内部にアクセス可能となるように開かれ、後方に押し込まれると内部にアクセス不可となるように閉じられる。このように前後方向にのみ所定範囲でスライド可能となるように、各収納庫１２は装置本体１１に連結されている。
【００３４】
複数段の収納庫１２のうち、最も上側のものは、予備収納庫１２（Ａ）となっており、結束されていないバラ紙幣、包装されていないバラ硬貨、汚損紙幣や汚損硬貨、金券等を収納する。また、残りの収納庫１２は、上側４段が小束紙幣を収納する小束収納庫１２（Ｂ）となっており、下側３段が棒金を収納する棒金収納庫１２（Ｃ）となっている。勿論、収納庫１２の全体の数や、そのうちの小束収納庫１２（Ｂ）および棒金収納庫１２（Ｃ）の個々の数等は任意に設定可能であり、例えば、予備収納庫１２（Ａ）以外の全てを、棒金収納庫１２（Ｃ）とすることも勿論可能である。
【００３５】
装置本体１１の上部には、操作者によって操作入力がなされるとともに操作者に対して表示を行う操作表示部１５と、データを印字により出力するプリンタ１６とが設けられている。操作表示部１５は、操作者に対して操作ガイダンス等の情報を表示する表示部１７と、操作者のＩＤカードを走査するカードリーダ１８と、操作者により操作される操作キーボード１９と、操作者に対して音声を出力する音声発生部２０とを有している。
【００３６】
装置本体１１には、複数の収納庫１２のそれぞれに対して、収納庫１２を閉状態で個別にロックする図２に示すロック機構２２が設けられており、図１に示す複数の収納庫１２のそれぞれの側方に、ロック機構２２のロック解除時のみ点灯する表示灯２３が設けられている。さらに、装置本体１１には、図２に示すように、操作表示部１５、プリンタ１６、音声発生部２０、ロック機構２２および表示灯２３等に接続されてこれらを制御する制御部２５と、収納している棒金および小束紙幣の数量情報および金種情報や処理関連のデータ等を記憶する記憶部２６とが設けられている。
【００３７】
収納庫１２は、図３に示すように、取っ手３０が中央に設けられた前板部３１と、前板部３１の左右両側から後方に延出する一対の側板部３２と、一対の側板部３２の後端部同士を連結する後板部３３とを有する枠体３４を有している。この枠体３４は、図１に示す小束収納庫１２（Ｂ）と棒金収納庫１２（Ｃ）とで共通となっている。枠体３４は、一対の側板部３２がスライドレール１３の一側に連結されており、スライドレール１３の他側が装置本体１１に連結されていて、これにより装置本体１１に対して引き出し可能となっている。
【００３８】
図３に示すように、棒金収納庫１２（Ｃ）は、棒金Ｂを入出庫可能に収納するものである。棒金収納庫１２（Ｃ）は、棒金Ｂを収納可能であって上記した枠体３４に取り付けられて固定される複数の棒金トレイ３８を有している。
【００３９】
ここで、棒金トレイ３８は、予め設定された単一の収納対象金種の棒金Ｂのみが収納されるように決められている。また、左右方向における同列に配置されて前後に１列に並ぶ複数の棒金トレイ３８は、全て収納対象金種が同一金種となっている。例えば、３段の棒金収納庫１２（Ｃ）のうちの最も上段の棒金収納庫１２（Ｃ）は、最も左側および左から２番目の２列の棒金トレイ３８が共に１円棒金収納用、最も右側および右から２番目の２列の棒金トレイ３８が共に５円棒金収納用となっている。また、３段の棒金収納庫１２（Ｃ）のうちの上から２段目の棒金収納庫１２（Ｃ）は、最も左側および左から２番目の２列の棒金トレイ３８が共に１０円棒金収納用、最も右側および右から２番目の２列の棒金トレイ３８が共に５０円棒金収納用となっている。また、３段の棒金収納庫１２（Ｃ）のうちの最下段の棒金収納庫１２（Ｃ）は、最も左側および左から２番目の２列の棒金トレイ３８が共に１００円棒金収納用、最も右側および右から２番目の２列の棒金トレイ３８が共に５００円棒金収納用となっている。勿論、各棒金収納庫１２（Ｃ）への収納金種は任意に設定可能であり、頻繁に出庫が行われる金種（１円棒金、１０円棒金および１００円棒金）を１つの棒金収納庫１２（Ｃ）に纏めて収納するようにしても良い。また、左右方向における同列に配置されて前後に１列に並ぶ複数の棒金トレイ３８は、必ずしも全て収納対象金種が同一金種となっていなくても良い。
【００４０】
棒金Ｂは、単一金種の硬貨を所定枚数（５０枚）だけ中心軸線を一致させて集積してなる集積硬貨を、その外周面全体に樹脂フィルムあるいは紙からなる包装紙を所定長さ巻き付けて一体化したものであり、略円柱状をなしている。
【００４１】
図３に示すように、棒金トレイ３８には、棒金Ｂが中心軸線を上下方向に沿わせた立位状態で収納される。図４に示すように、棒金トレイ３８は、長方形の平板状をなして水平に配置される基板部４０と、基板部４０の水平方向における内側部分に設けられて下方に凹む上方開口形状をなす２カ所の同形状の棒金収納凹部４１とを有している。棒金収納凹部４１は１カ所に棒金Ｂを立位状態で最大５本収納可能であり、よって、１つの棒金トレイ３８には、棒金Ｂが立位状態で所定の複数本である最大１０本収納可能となっている。１つの棒金トレイ３８に設けられた２カ所の棒金収納凹部４１は、前後に隣接して形成されている。
【００４２】
棒金トレイ３８は、これらの棒金収納凹部４１にその上端開口部を介して上方から棒金Ｂが挿入されることになり、これらの棒金収納凹部４１は、このように挿入された棒金Ｂを図３に示すように上方に一部突出させて収納する。
【００４３】
図５に示すように同じ１つの棒金トレイ３８に形成された前側（図５では下側）の棒金収納凹部４１と後側（図５では上側）の棒金収納凹部４１とは、予め設定された単一の収納対象金種の棒金Ｂのみが収納されることになり、同様の形状をなしている。これら前側の棒金収納凹部４１と後側の棒金収納凹部４１とは、左右方向の位置を合わせて、前後に並び、互いに平行に配置されている。以下、前後の棒金収納凹部４１の一方について説明する。
【００４４】
図４に示すように、棒金収納凹部４１は、基板部４０に直交し鉛直方向に沿う姿勢で使用される壁部４２と、壁部４２の下部を閉塞する全体として基板部４０に平行をなし水平に沿う姿勢で使用される底部４３とで形成されている。壁部４２は、基板部４０よりも下方向に延出しており、よって、底部４３は基板部４０よりも下方に位置している。
【００４５】
図５に示すように、壁部４２は、その前部に設けられて左右方向に延在する平板状の長壁部４５と、その後部に設けられて左右方向に延在する、長壁部４５よりも長さが短い平板状の短壁部４６と、左右両側に配置される一対の側壁部４７とを有しており、鏡面対称の枠状をなしている。一対の側壁部４７は互いに前後方向の位置を合わせている。
【００４６】
一対の側壁部４７は、前側に、棒金収納凹部４１の内側に中心を配して湾曲する、円筒を一部切り取った形状の一対の湾曲壁部５１を有しており、後側に、棒金収納凹部４１の内側に中心を配して湾曲する、円筒を一部切り取った形状の一対の湾曲壁部５２を有していて、これらの境界部分に一対の規制部５３を有している。
【００４７】
一対の湾曲壁部５１は互いに前後方向の位置を合わせており、一対の湾曲壁部５２も互いに前後方向の位置を合わせている。一対の規制部５３も互いに前後方向の位置を合わせている。一対の湾曲壁部５１の最大間隔は、一対の湾曲壁部５２の最大間隔よりも広くなっており、これらの最大間隔よりも、一対の規制部５３の最小間隔の方が狭くなっている。
【００４８】
左側の側壁部４７を構成する湾曲壁部５１，５２は、前側の湾曲壁部５１が後側の湾曲壁部５２よりも左側に位置するようにして連設されており、これらの境界部分に右側に突出する左側の規制部５３が設けられている。左側の湾曲壁部５１は、円筒を一部切り取った形状の湾曲壁面５１ａを右側に有しており、左側の湾曲壁部５２は、円筒を一部切り取った形状の湾曲壁面５２ａを右側に有している。いずれも左側の湾曲壁面５１ａと湾曲壁面５２ａとは、前側の湾曲壁面５１ａが後側の湾曲壁面５２ａよりも左側に位置するようにして連設されている。
【００４９】
右側の側壁部４７を構成する湾曲壁部５１，５２は、前側の湾曲壁部５１が後側の湾曲壁部５２よりも右側に位置するようにして連設されており、これらの境界部分に左側に突出する右側の規制部５３が設けられている。右側の湾曲壁部５１は、円筒を一部切り取った形状の湾曲壁面５１ａを左側に有しており、右側の湾曲壁部５２は、円筒を一部切り取った形状の湾曲壁面５２ａを左側に有している。いずれも右側の湾曲壁面５１ａと湾曲壁面５２ａとは、前側の湾曲壁面５１ａが後側の湾曲壁面５２ａよりも右側に位置するようにして連設されている。
【００５０】
長壁部４５は、前側の左右の湾曲壁面５１ａの前端部同士を結ぶ後向きの平坦壁面４５ａを有しており、短壁部４６は、後側の左右の湾曲壁面５２ａの後端部同士を結ぶ前向きの平坦壁面４６ａを有している。平坦壁面４５ａは平坦壁面４６ａよりも長さが長く、これらは前後方向に直交し互いに平行をなしている。
【００５１】
棒金収納凹部４１は、上述したように予め設定された単一の収納対象金種の棒金Ｂのみが収納されることになり、湾曲壁面５１ａ，５２ａの径は、同径で、収納対象金種の棒金Ｂの外径よりも若干大径となっている。
【００５２】
互いに対向する間隔が広い前側の一対の湾曲壁面５１ａの最大間隔は、収納対象金種の棒金Ｂの直径の３倍よりも若干長くなっており、収納対象金種の棒金Ｂの直径の４倍より短くなっている。これら湾曲壁面５１ａの間に、収納対象金種の１本のみの棒金Ｂを収納する１本収納領域６０が３カ所、これら湾曲壁面５１ａを結ぶ方向に並んで１列状に設けられて３本収納領域６１を構成している。よって、棒金収納凹部４１は、間隔が広い前側の一対の湾曲壁面５１ａの間に、棒金Ｂを同時に３本並べて収納可能な３本収納領域６１を有している。一対の湾曲壁面５１ａは、３本収納領域６１の棒金配列方向の両外側にこの３本収納領域６１に臨んで設けられており、３本収納領域６１内に中心を配して湾曲している。
【００５３】
互いに対向する間隔が狭い後側の一対の湾曲壁面５２ａの最大間隔は、収納対象金種の棒金Ｂの直径の２倍よりも若干長くなっており、収納対象金種の棒金Ｂの直径の３倍より短くなっている。これら湾曲壁面５２ａの間に、収納対象金種の１本のみの棒金Ｂを収納する１本収納領域６０が２カ所、これら湾曲壁面５２ａを結ぶ方向に並んで設けられて２本収納領域６２を構成している。よって、棒金収納凹部４１は、間隔が狭い後側の一対の湾曲壁面５２ａの間に、棒金Ｂを同時に２本並べて収納可能な２本収納領域６２を有している。一対の湾曲壁面５２ａは、２本収納領域６２の棒金配列方向の両外側にこの２本収納領域６２に臨んで設けられており、２本収納領域６２内に中心を配して湾曲している。
【００５４】
３本収納領域６１と２本収納領域６２とは、互いに平行であって、互いに棒金配列方向の中央位置を合わせている。その結果、３本収納領域６１と２本収納領域６２とは、両方の棒金配列方向の中央位置を通る鉛直面を基準に鏡面対称の形状をなしている。３本収納領域６１を構成する１本収納領域６０に対して、２本収納領域６２を構成する１本収納領域６０は棒金Ｂの半径分左右方向にずれている。３本収納領域６１と２本収納領域６２とを有する棒金収納凹部４１は、棒金Ｂを満杯状態で５本だけ平面視Ｍ字状に収納する。
【００５５】
長壁部４５は、３本収納領域６１の２本収納領域６２とは反対側に配置され、短壁部４６は、２本収納領域６２の３本収納領域６１とは反対側に配置され、一対の側壁部４７は、３本収納領域６１および２本収納領域６２の各棒金配列方向の両外側に配置されている。長壁部４５は、前側の左右の湾曲壁面５１ａを結ぶ後向きの平坦壁面４５ａを有しており、この平坦壁面４５ａが３本収納領域６１に臨んで設けられている。短壁部４６は、後側の左右の湾曲壁面５２ａを結ぶ前向きの平坦壁面４６ａを有しており、この平坦壁面４６ａが２本収納領域６２に臨んで設けられている。平坦壁面４５ａは平坦壁面４６ａよりも長さが長く、これらは前後方向に直交し互いに平行をなして３本収納領域６１および２本収納領域６２の配列方向の両外側に配置されている。
【００５６】
そして、一対の側壁部４７には、３本収納領域６１と２本収納領域６２との間位置に、上記した一対の規制部５３が設けられている。一対の規制部５３の最小間隔Ｌつまり先端部同士の間隔Ｌは、収納対象金種の棒金Ｂの外径つまり直径の２倍よりも短くなっており、よって、収納対象金種の棒金Ｂの直径の２倍よりも若干広い一対の湾曲壁面５２ａの最大間隔よりも短くなっている。これにより、一対の規制部５３は、２本収納領域６２に同時に収納されている２本の棒金Ｂの３本収納領域６１側への移動を短壁部４６とで規制する。
【００５７】
一対の規制部５３は、短壁部４６側の面５３ａが、互いに近接する先端側ほど長壁部４５の平坦壁面４５ａに近づくように傾斜する一方、長壁部４５側の面５３ｂが、長壁部４５の平坦壁面４５ａに沿って延在している。一対の規制部５３の一対の面５３ｂと長壁部４５の平坦壁面４５ａとの距離は収納対象金種の棒金Ｂの直径よりも若干長くなっており、よって、一対の規制部５３は、３本収納領域６１内での棒金Ｂの移動を長壁部４５とで許容している。他方、一対の規制部５３の一対の面５３ａと短壁部４６の平坦壁面４６ａとの距離は収納対象金種の棒金Ｂの直径よりも短くなっている。
【００５８】
長壁部４５と短壁部４６との間隔、つまり平坦壁面４５ａと平坦壁面４６ａとの間隔は、棒金Ｂの直径の２倍よりも短く、よって、互いに平行をなす３本収納領域６１と２本収納領域６２とは前後方向の位置を一部重ね合わせている。その結果、長壁部４５は、３本収納領域６１の中央の１本収納領域６０に収納されている１本の棒金Ｂの３本収納領域６１の両端の１本収納領域６０への移動を２本収納領域６２に収納されている２本の棒金Ｂとで規制する。言い換えれば、長壁部４５は、３本収納領域６１の両端の１本収納領域６０に収納されている１本の棒金Ｂの３本収納領域６１の中央の１本収納領域６０への移動を２本収納領域６２に収納されている２本の棒金Ｂとで規制する。
【００５９】
底部４３の各棒金Ｂの収納位置、つまり各１本収納領域６０の底位置には、棒金Ｂの下端加締部に係合する係合部７１が設けられている。係合部７１は、平面視円形の短柱状をなしており、棒金Ｂの硬貨部分から軸方向外側に突出する包装紙の円形状の加締部の内側に入り込み硬貨部分に接触して棒金Ｂを支持する。係合部７１は、全ての１本収納領域６０のそれぞれ底位置中央に設けられている。係合部７１は、各湾曲壁面５１ａ，５２ａの各内側位置に湾曲壁面５１ａ，５２ａと中心軸線を一致させて４カ所形成され、さらに、３本収納領域６１を形成する湾曲壁面５２ａ間の中央の１カ所にも形成されている。つまり、棒金収納凹部４１の底部４３には、３本収納領域６１の底部を構成する部分に３カ所、２本収納領域６２の底部を構成する部分に２カ所、係合部７１がそれぞれ設けられている。係合部７１は、これが配置された１本収納領域６０に挿入された棒金Ｂの下端加締部の内側に係合する。
【００６０】
係合部７１には、その上に載置されている棒金Ｂの有無および金種を検出する磁気センサ等の棒金検出センサ７２が設けられており、このような棒金検出センサ７２が、すべての係合部７１に個別に設けられている。
【００６１】
以上により、１つの棒金トレイ３８の前後２カ所の棒金収納凹部４１は、いずれも棒金収納庫１２（Ｃ）の引き出しの方向の奥側に２本収納領域６２が、手前側に３本収納領域６１が配置されている。その結果、１つの棒金トレイ３８の前後２カ所の棒金収納凹部４１は、３本収納領域６１と２本収納領域６２との並び順を互いに合わせて並列に配列されている。ここで、棒金収納庫１２（Ｃ）に設けられるすべての棒金トレイ３８は、それぞれの１カ所の棒金収納凹部４１において、引き出しの方向の奥側に２本収納領域６２が、手前側に３本収納領域６１が配置されており、それぞれの２カ所の棒金収納凹部４１において、３本収納領域６１と２本収納領域６２との並び順を互いに合わせて並列に配列されている。
【００６２】
また、１つの棒金トレイ３８の２カ所の３本収納領域６１および２カ所の２本収納領域６２は、前後方向つまり収納庫１２の引き出し方向に直交する方向に延在している。言い換えれば、１つの棒金トレイ３８の２カ所の３本収納領域６１および２カ所の２本収納領域６２は、それぞれの棒金配列方向を、前後方向つまり棒金収納庫１２（Ｃ）の引き出し方向に直交させている。ここで、棒金収納庫１２（Ｃ）に設けられるすべての棒金トレイ３８の３本収納領域６１および２本収納領域６２は、前後方向つまり棒金収納庫１２（Ｃ）の引き出し方向に直交する方向に延在している。
【００６３】
棒金トレイ３８には、基板部４０の上面に、収納対象の金種を目視可能に明示する金種明示部７３が設けられている（図４および図５は１０円棒金の例）。各棒金トレイ３８に収納すべき設定金種を示す収納金種データは、予め設定されて図２に示す記憶部２６に記憶されることになる。
【００６４】
装置本体１１には、収納庫１２が装置本体１１に最も押し込まれた後端位置である全閉位置にあることを検出する図２に示す全閉検出センサ９６が収納庫１２のそれぞれに対して設けられている。装置本体１１には、収納庫１２が装置本体１１から引き出された開状態にあることを検出する開検出センサ９７が収納庫１２のそれぞれに対して設けられている。
【００６５】
加えて、装置本体１１には、収納庫１２を個別に全閉位置でロックするロック機構２２が設けられている。ロック機構２２は、制御部２５から出力される開指令信号で開状態となる。制御部２５は、開状態とした収納庫１２が装置本体１１から引き出されたことが開検出センサ９７で検出されると、開指令信号を停止させることになり、この状態でロック機構２２は、収納庫１２が全閉位置に戻されると、収納庫１２を引き出し不可に自動的かつ機械的にロックする。制御部２５は、一の収納庫１２が装置本体１１から引き出されたことが開検出センサ９７で検出された後、この一の収納庫１２が全閉位置に戻されたことが全閉検出センサ９６で検出されると、この一の収納庫１２に収納された棒金Ｂの金種別の数を全ての棒金検出センサ７２の検出結果から把握する。
【００６６】
現金管理装置１０は、各棒金Ｂに対応して各棒金Ｂと同等径の図６に示すダミー棒金Ｄを全金種について備えている。ここにおいて、ダミー棒金は、前記係合部７１に設けられた磁気センサ等の棒金検出センサ７２によって、収納すべき設定金種の棒金であると誤検知されないような材質で形成される。例えば、棒金検出センサ７２を磁気センサで構成した場合、ダミー棒金を樹脂製などで形成すれば、磁気センサでは検出すらなされない。または、ダミー棒金を収納すべき設定金種の硬貨とは明らかに異なる金属材質で形成すれば、磁気センサで検出されたとしても明らかに異なる信号を検出することになるので、収納すべき設定金種の棒金との切り分けも容易となる。さらには、磁気センサとは異なるセンサを設けたとしても、ダミー棒金は、予め定められた材質で形成することができるので、検出すらなされない、または、検出されるものであっても明らかに異なる信号を検出することとなるようにして、収納すべき設定金種の棒金との切り分けを充分可能とさせることができる。
【００６７】
加えて、ダミー棒金は、目視的にも、外観形状等を収納すべき設定金種の棒金と明らかに異なるものとすることが可能である。すなわち、ダミー棒金の高さを、収納すべき設定金種の棒金高さよりも明らかに低く、但し、棒金収納凹部４１の深さより若干高くなるようにして、出し入れしやすい形状とする。さらには、ダミー棒金の色、模様等についても、明らかに異なる色、模様等で着色、印刷することが可能である。
【００６８】
以上に述べた現金管理装置１０では、棒金収納凹部４１の３本収納領域６１および２本収納領域６２の各棒金配列方向の両外側に配置される一対の側壁部４７が、３本収納領域６１と２本収納領域６２との間位置に、互いの間隔が収納対象金種の棒金Ｂの直径の２倍よりも短い一対の規制部５３を有している。よって、図６に示すように、収納対象金種の棒金Ｂを棒金収納凹部４１に１本のみ収納する際には、２本収納領域６２の一方の１本収納領域６０に収納対象金種の１本の棒金Ｂを収納し、２本収納領域６２の他方の１本収納領域６０に収納対象金種の１本のダミー棒金Ｄを収納する状態とすれば、３本収納領域６１に棒金Ｂがなくても、２本収納領域６２の１本の棒金Ｂおよび１本のダミー棒金Ｄは倒れが規制されて中心軸線を鉛直配置した鉛直立位状態に維持される。よって、１カ所の棒金収納凹部４１にて１本のみの収納対象金種の棒金Ｂを鉛直立位状態に維持できる。勿論、２本収納領域６２の他方の１本収納領域６０に収納対象金種の１本の棒金Ｂを収納し、２本収納領域６２の一方の１本収納領域６０に収納対象金種の１本のダミー棒金Ｄを収納する状態としても良い。
【００６９】
また、図７に示すように、２本収納領域６２に２本の収納対象金種の棒金Ｂを収納する状態とすれば、３本収納領域６１に棒金Ｂがなくても、２本収納領域６２の２本の棒金Ｂは倒れが規制されて鉛直立位状態に維持される。よって、１カ所の棒金収納凹部４１にて２本のみの収納対象金種の棒金Ｂを鉛直立位状態に維持できる。
【００７０】
また、３本収納領域６１の２本収納領域６２とは反対側に配置される長壁部４５と、２本収納領域６２の３本収納領域６１とは反対側に配置される短壁部４６との間隔が、収納対象金種の棒金Ｂの直径の２倍よりも短いため、図８（ａ）に示すように、２本収納領域６２に２本の収納対象金種の棒金Ｂを収納する状態とすれば、さらに１本の収納対象金種の棒金Ｂを３本収納領域６１の中央の１本収納領域６０に収納すると、この１本の棒金Ｂは、３本収納領域６１の残りの１本収納領域６０に棒金Ｂがなくても、２本収納領域６２の２本の棒金Ｂと長壁部４５とで倒れが規制されて鉛直立位状態に維持される。
【００７１】
また、同様の理由から、２本収納領域６２に２本の収納対象金種の棒金Ｂを収納する状態とすれば、図８（ｂ）に示すように、１本の収納対象金種の棒金Ｂを３本収納領域６１の一端の１本収納領域６０に収納しても、この１本の棒金Ｂは、３本収納領域６１の残りの中央および他端の１本収納領域６０に棒金Ｂがなくても、２本収納領域６２の２本の棒金Ｂと長壁部４５とで倒れが規制されて鉛直立位状態に維持される。２本収納領域６２に２本の収納対象金種の棒金Ｂを収納する状態とすれば、さらに１本の収納対象金種の棒金Ｂを３本収納領域６１の他端の１本収納領域６０に収納しても同様に鉛直立位状態に維持される。よって、１カ所の棒金収納凹部４１にて３本のみの棒金Ｂを鉛直立位状態に維持できることになる。
【００７２】
このように、２本収納領域６２に２本の収納対象金種の棒金Ｂを収納する状態とすれば、さらに１本の収納対象金種の棒金Ｂを３本収納領域６１の中央の１本収納領域６０に収納しても、一方の端部の１本収納領域６０に収納しても、他方の端部の１本収納領域６０に収納しても良い。このことから、２本収納領域６２に２本の収納対象金種の棒金Ｂを収納する状態とすれば、図９（ａ）に示すように３本収納領域６１の両端の１本収納領域６０に２本の収納対象金種の棒金Ｂを収納しても、図９（ｂ）に示すように３本収納領域６１の中央および一端の１本収納領域６０に２本の収納対象金種の棒金Ｂを収納しても、３本収納領域６１の中央および他端の１本収納領域６０に２本の収納対象金種の棒金Ｂを収納しても、３本収納領域６１の２本の棒金Ｂは、２本収納領域６２の２本の棒金Ｂと長壁部４５とで倒れが規制されて鉛直立位状態に維持される。よって、１カ所の棒金収納凹部４１にて４本のみの棒金Ｂを鉛直立位状態に維持できる。
【００７３】
また、上記の寸法関係により、図９（ｃ）に示すように３本収納領域６１に３本の収納対象金種の棒金Ｂを収納し、２本収納領域６２の一方の１本収納領域６０に１本の収納対象金種の棒金Ｂを収納すると、２本収納領域６２の残りの１本収納領域６０に棒金Ｂがなくても、これらの棒金Ｂは、一対の規制部５３、長壁部４５および短壁部４６で倒れが規制されて鉛直立位状態に維持される。３本収納領域６１に３本の収納対象金種の棒金Ｂを収納し、２本収納領域６２の他方の１本収納領域６０に１本の収納対象金種の棒金Ｂを収納しても同様に、これらの棒金Ｂは鉛直立位状態に維持される。よって、このような収納形態でも、１カ所の棒金収納凹部４１にて４本のみの収納対象金種の棒金Ｂを鉛直立位状態に維持できることになる。
【００７４】
加えて、図５に示すように、収納対象金種の棒金Ｂが棒金収納凹部４１に満杯つまり５本収納された状態で、棒金Ｂは、棒金収納凹部４１の壁部４２および他の棒金Ｂで支持されて中心軸線を鉛直配置した鉛直立位状態に維持される。
【００７５】
以上により、１カ所に収納対象金種の棒金Ｂを立位状態で５本収納可能な棒金収納凹部４１に、１本のみの棒金Ｂを立位状態で収納でき、２本のみの棒金Ｂを立位状態で収納でき、３本のみの棒金Ｂを立位状態で収納でき、４本のみの棒金Ｂを立位状態で収納できる。
【００７６】
以上に述べた本実施形態によれば、３本収納領域６１および２本収納領域６２の各棒金配列方向の両外側に配置される一対の側壁部４７が、３本収納領域６１と２本収納領域６２との間位置に、互いの間隔が棒金Ｂの直径の２倍よりも短い一対の規制部５３を有しているため、２本収納領域６２に２本の棒金Ｂを収納する状態とすれば、３本収納領域６１に棒金Ｂがなくても、２本収納領域６２の２本の棒金Ｂは倒れが規制されて立位状態に維持される。よって、１カ所の棒金収納凹部４１にて２本のみの棒金Ｂを立位状態に維持できる。
【００７７】
また、３本収納領域６１の２本収納領域６２とは反対側に配置される長壁部４５と、２本収納領域６２の３本収納領域６１とは反対側に配置される短壁部４６との間隔が、棒金Ｂの直径の２倍よりも短いため、２本収納領域６２に２本の棒金Ｂを収納する状態とすれば、１本または２本の棒金Ｂを３本収納領域６１のいずれの１本収納領域６０に収納しても、１本または２本の棒金Ｂは、３本収納領域６１の残りの１本収納領域６０に棒金Ｂがなくても、２本収納領域６２の２本の棒金と長壁部４５とで倒れが規制されて立位状態に維持される。つまり、一対の規制部５３は、３本収納領域６１内での棒金Ｂの移動を長壁部４５とで許容することになるが、２本収納領域６２に２本の棒金Ｂを収納すると、長壁部４５が、３本収納領域６１の中央の１本収納領域６０に収納されている１本の棒金Ｂの３本収納領域６１の両端の１本収納領域６０への移動つまり倒れを２本収納領域６２の２本の棒金Ｂとで規制する。言い換えれば、２本収納領域６２に２本の棒金Ｂを収納すると、長壁部４５が、３本収納領域６１のいずれか端側の１本収納領域６０に収納されている１本の棒金Ｂの３本収納領域６１の中央の１本収納領域６０への移動つまり倒れを、２本収納領域６２の２本の棒金Ｂとで規制する。よって、１カ所の棒金収納凹部４１にて３本のみの棒金Ｂを立位状態に維持できることになり、４本のみの棒金Ｂも立位状態に維持できることになる。
【００７８】
また、上記の寸法関係により、３本収納領域６１に３本の棒金Ｂを収納し、２本収納領域６２のいずれかの１本収納領域６０に１本の棒金Ｂを収納すると、２本収納領域６２の残りの１本収納領域６０に棒金Ｂがなくても、これらの棒金Ｂは、一対の規制部５３、長壁部４５および短壁部４６で倒れが規制されて立位状態に維持される。よって、１カ所の棒金収納凹部４１にて４本のみの棒金Ｂを立位状態に維持できることになる。
【００７９】
したがって、１カ所に棒金Ｂを立位状態で５本収納可能な棒金収納凹部４１に、２本のみの棒金Ｂを立位状態で収納でき、３本のみの棒金Ｂを立位状態で収納でき、４本のみの棒金Ｂを立位状態で収納できる。これにより、１本のみの棒金Ｂを収納する場合にはダミー棒金Ｄと一緒に収納することで、同じ棒金収納凹部４１を５本の満杯収納用と１〜４本の端数収納用とで共用化しても、満杯の棒金Ｂおよび端数の棒金Ｂのいずれも立位状態で収納することが可能になる。したがって、同じ棒金収納凹部４１を満杯収納用と端数収納用とで共用化できるため、コストを低減することができる。また、同じ棒金収納凹部４１を満杯収納用と端数収納用とで共用化した場合には、複数の棒金収納凹部４１の中から任意で満杯収納用と端数収納用とを設定することができる。したがって、使い勝手性が向上する。加えて、棒金収納凹部４１が５本単位で棒金Ｂを収納するため、取り出し時や挿入時の本数管理が容易となり、使い勝手性が向上する。また、棒金収納凹部４１が５本単位で棒金Ｂを収納するため、５本単位で棒金Ｂを出し入れすることになり、係員の操作負担を軽減できる。
【００８０】
また、棒金収納凹部４１は、３本収納領域６１および２本収納領域６２の棒金配列方向を、棒金収納庫１２（Ｃ）の引き出しの方向に対し直交させている。このため、不慣れな係員でも、５本の棒金Ｂを両手で纏めて掴んで棒金収納凹部４１に挿入する際に戸惑うことなく円滑に挿入可能となる。
【００８１】
また、棒金収納凹部４１は、棒金収納庫１２（Ｃ）の引き出しの方向の奥側に２本収納領域６２が、手前側に３本収納領域６１が配置されているため、５本の棒金Ｂからなる棒金群を、両手で棒金収納凹部４１に合わせた形状にしつつ掴む際に掴み易く、よって、５本の棒金Ｂを両手で掴んで棒金収納凹部４１に対し出し入れする作業がさらに容易化可能となる。
【００８２】
また、棒金収納凹部４１の底部４３に、棒金Ｂの下端部に係合する係合部７１が、２本収納領域６２に２カ所、３本収納領域６１に３カ所、それぞれ設けられているため、棒金Ｂの下端部を係合部７１に係合させることで、棒金収納庫１２（Ｃ）の引き出し時および押し込み時に、収納状態にある棒金Ｂのガタツキを抑制することができる。
【００８３】
また、各係合部７１に係合された棒金Ｂの有無および金種を各係合部７１に埋設された棒金検出センサ７２で個別に検出することができる。よって、現金管理装置１０内に収納された棒金Ｂの金種別の収納数を計数して管理することができる。
【００８４】
また、棒金収納凹部４１が、３本収納領域６１および２本収納領域６２のそれぞれの棒金配列方向の両外側に一対の湾曲壁面５１ａおよび一対の湾曲壁面５２ａを有する形状をなしているため、一対の湾曲壁面５１ａおよび一対の湾曲壁面５２ａで四隅の棒金Ｂを案内することができる。よって、５本の棒金Ｂを纏めて正確に棒金収納凹部４１に挿入することが可能となる。
【００８５】
また、棒金Ｂを棒金収納凹部４１に１本のみ収納する際には、１本の棒金Ｂと、棒金Ｂに対応するダミー棒金Ｄとを２本収納領域６２に収納すれば、これらを立位状態に維持できる。したがって、１カ所に棒金Ｂを立位状態で５本収納可能な棒金収納凹部４１に、１本のみの棒金Ｂを立位状態で収納できる。なお、１本のみの棒金Ｂについては、例えば予備収納庫１２（Ａ）に収納する等して、別管理としたり、１本のみの棒金Ｂが収納可能な棒金収納凹部を棒金収納庫１２（Ｃ）に別途設けて、この棒金収納凹部に収納しても良い。
【符号の説明】
【００８６】
１０  現金管理装置
１１  装置本体
１２  収納庫
１２（Ｃ）  棒金棒金収納庫
４１  棒金収納凹部
４２  壁部
４３  底部
４５  長壁部
４５ａ  平坦壁面
４６  短壁部
４６ａ  平坦壁面
４７  側壁部
５１ａ  湾曲壁面
５２ａ  湾曲壁面
５３  規制部
６０  １本収納領域
６１  ３本収納領域
６２  ２本収納領域
７１  係合部
７２  棒金検出センサ
Ｂ  棒金
Ｄ  ダミー棒金
Ｌ  間隔
【図１】
0006407094.tif 000002
【図２】
0006407094.tif 000003
【図３】
0006407094.tif 000004
【図４】
0006407094.tif 000005
【図５】
0006407094.tif 000006
【図６】
0006407094.tif 000007
【図７】
0006407094.tif 000008
【図８】
0006407094.tif 000009
【図９】
0006407094.tif 000010